(57)【特許請求の範囲】
【請求項１】
下式、
【化１】
0005774987.tif 000011
［式中、ｎが３〜５であるペルメチル］を含む３重量％から６重量％のペルメチルと、３重量％から６重量％の１−フェノキシ−２−プロパノールを含む、
マイクロエマルション又はプロトマイクロエマルション組成物で使用するための溶媒。
【請求項２】
前記溶媒が、ｎが３〜５であるペルメチル及び１−フェノキシ−２−プロパノールの組み合わせを１：３〜３：１の質量比で含む、請求項１に記載の溶媒。
【請求項３】
δｄが１５〜１８、δｐが０〜８、δＨが０〜１２であるハンセンパラメータを含む１種以上の溶媒を含み、
前記溶媒系が、３重量％〜６重量％のｎが３〜５であるペルメチル
【化２】
0005774987.tif 000012
及び３重量％〜６重量％の１−フェノキシ−２−プロパノールを含み、前記ペルメチルと１−フェノキシ−２−プロパノールの合計重量パーセントが、前記組成物重量の９重量％であり、
前記１種以上の溶媒の最終的なハンセンパラメータが、δｄが１５〜１８、δｐが２〜８、δＨが５〜１２である、マイクロエマルション又はプロトマイクロエマルション組成物で使用するための溶媒。
【請求項４】
請求項３に記載の溶媒；陰イオン性、非イオン性及び両性から選択される１種以上の界面活性剤；及び水を含むマイクロエマルション又はプロトマイクロエマルション組成物。
【請求項５】
前記１種以上の界面活性剤が、崩壊性界面活性剤を更に含む、請求項４に記載のマイクロエマルション又はプロトマイクロエマルション組成物。
【請求項６】
前記１種以上の界面活性剤が、アルキルエトキシル化サルフェート界面活性剤、アミンオキシド、及びこれらの混合物からなる群から選択される、請求項４および５のいずれか一項に記載のマイクロエマルション又はプロトマイクロエマルション組成物。
【請求項７】
前記１種以上の界面活性剤が、アルキルエトキシル化サルフェート界面活性剤、アミンオキシド、及び
【化３】
0005774987.tif 000013
［式中、Ｒ1及びＲ2が、Ｃ1〜Ｃ4直鎖アルキル部分からなる群から独立して選択され、Ｘが水溶性アニオンであり、（１）Ｒ3及びＲ4が、それぞれＣ6〜Ｃ14アルキル部分である］からなる群から選択される、請求項４および５のいずれか一項に記載のマイクロエマルション又はプロトマイクロエマルション組成物。
【請求項８】
前記１種以上の界面活性剤が、アルキルエトキシル化サルフェート界面活性剤、アミンオキシド、及び、
【化４】
0005774987.tif 000014
［式中、Ｒ5が、Ｃ12〜Ｃ18直鎖アルキル部分から選択され、Ｒ6が、Ｃ1〜Ｃ4直鎖アルキル部分から選択される］からなる群から選択される、請求項４〜６のいずれか一項に記載のマイクロエマルション又はプロトマイクロエマルション組成物。
【請求項９】
前記組成物が、フォーム生成ディスペンサを備える容器内に収容される、請求項４〜８のいずれか一項に記載のマイクロエマルション又はプロトマイクロエマルション組成物。
【請求項１０】
前記溶媒が、フォーム生成ディスペンサを備える容器内に収容される、請求項１〜３のいずれか一項に記載の溶媒。
【発明の詳細な説明】
【技術分野】
【０００１】
本発明は、マイクロエマルション又はプロトマイクロエマルション洗浄組成物における、特性向上のための特定の溶媒系の使用に関する。
【背景技術】
【０００２】
床、窓、食器、台所表面など硬質表面用の洗浄組成物は、油脂汚れなどの好ましくない付着物を硬質表面から洗浄する速度に大きく左右される。マイクロエマルション又はプロトマイクロエマルションは、良好な油脂の洗浄で知られるが、良好なフォーム特性又はフォーム寿命を有することは知られていない。
【０００３】
硬質表面洗浄用のマイクロエマルション組成物の例としては、国際公開第９６２６２６２号、同第９６０１３０５号、英国特許第２１９０６８１号、及び欧州特許出願公開第３１６７２６号が挙げられる。フォーム生成ディスペンサと共に用いるマイクロエマルション又はプロトマイクロエマルションの例としては、米国特許出願公開第２００４／０２５４２５３  Ａ１号、同第２００４／０２２９７６３Ａ１号、及び同第２００４／０２２９９６３Ａ１号が挙げられる。
【０００４】
洗浄組成物が直接接触洗浄の状態（希釈洗浄組成物に硬質表面を浸けるのとは対照的に）で使用されるとき、洗浄速度、つまり洗浄反応速度論が非常に重要である。硬質表面上の油脂汚れなどの好ましくない付着物に対する、任意の洗浄反応速度論的改善が望まれる。したがって、マイクロエマルション組成物のコストや複雑度を上げることなく、このような組成物の油脂洗浄速度を向上させる必要性がある。
【０００５】
溶媒の選択は、望ましい油脂洗浄速度を達成するために最適化することができる１つの観点である。しかし、揮発性、安全性、及び臭気などの溶媒に対する制限が、溶媒選択の可能性を狭めることが多い。例えば、テルピネオールなどの溶媒を使用すると、要求される揮発性及び安全性基準、並びに洗浄性能を満たすが、一部のユーザーには歓迎されない非常に強いマツの匂いがある。
【先行技術文献】
【特許文献】
【０００６】
【特許文献１】国際公開第９６２６２６２号
【特許文献２】国際公開第９６０１３０５号
【特許文献３】英国特許第２１９０６８１号
【特許文献４】欧州特許出願公開第３１６７２６号
【特許文献５】米国特許出願公開第２００４／０２５４２５３  Ａ１号
【特許文献６】米国特許出願公開第２００４／０２２９７６３Ａ１号
【特許文献７】米国特許出願公開第２００４／０２２９９６３Ａ１号
【発明の概要】
【発明が解決しようとする課題】
【０００７】
したがって、望ましい油脂洗浄速度、揮発性、安全性、及び臭気特性を与える、マイクロエマルション又はプロトマイクロエマルション組成物用の好適な溶媒系を選択する要望が存在する。
【０００８】
良好なフォーム特性又はフォーム寿命を有する、かかる組成物の供給が更に望まれる。
【課題を解決するための手段】
【０００９】
本出願は、マイクロエマルション又はプロトマイクロエマルション組成物で使用するための、デカン二酸ジメチルエステル、ジイソプロピルアジペート、ジイソブチルアジペート、
【００１０】
【化１】
0005774987.tif 000002
［式中、ｎが３〜５であるペルメチル］を含むペルメチル、
ジプロピレングリコールメチルエーテル、プロピレングリコールモノプロピルエーテル、１−フェノキシ−２−プロパノール、及びこれらの混合物を含む群から選択される溶媒系に関する。
【００１１】
本出願は、マイクロエマルション又はプロトマイクロエマルション組成物で使用するための、１種以上の溶媒であって、この１種以上の溶媒のハンセンパラメータは、δｄが１５〜約１８、δｐが０〜約８、δＨが０〜約１２であり、この１種以上の溶媒による最終的なハンセンパラメータが、δｄが１５〜約１８、δｐが約２〜約８、δＨが約５〜約１２である溶媒を含む、溶媒系に更に関する。
【発明を実施するための形態】
【００１２】
本明細書における全てのパーセント、比率及び割合は、特に指定しない限り、最終高濃度界面活性剤組成物の重量による。特に指定のない限り、温度はすべて摂氏（℃）である。
【００１３】
本明細書で使用するとき、用語「含む」は、最終結果に影響を与えないその他の工程、成分、要素等を加えることができることを意味する。この用語は、「から成る」及び「から本質的に成る」という用語を包含する。
【００１４】
本明細書において使用する用語「食器」とは、食物と接触する前又は後に洗われ、調理過程及び／又は料理給仕の際に使用されるいかなる食器、食卓用器具、調理器具、ガラス食器、金属製食事器具、まな板、調理設備などをも意味する。
【００１５】
用語「泡」及び「石鹸泡」は、本明細書において使用する時、互換的に使用され、液相で境界を定められて液相に浮遊する、分離性のガス気泡を表わす。
【００１６】
フォーム特性又はフォーム寿命は、本明細書において使用する時、以下に記載する方法により生成された泡の体積の変化、又はその消失を指す。
【００１７】
用語「マイクロエマルション」は、本明細書で使用する時、水中油型エマルションを意味し、油を目に見えない液滴に乳化する性能を有する。そのような目に見えない液滴は、波長８８０ｎｍで濁度を測定するＩＳＯ  ７０２７等の当該技術分野において既知の方法による測定で典型的に約１００オングストローム（Å）未満、好ましくは５０Å未満の最大直径を有する。濁度測定機器は、例えば、オメガ・エンジニアリング社（Omega Engineering, Inc.）（米国コネチカット州スタンフォード）から容易に入手可能である。
【００１８】
用語「プロトマイクロエマルション」は、本明細書において使用する時、水で希釈されてマイクロエマルションを形成可能な組成物を意味する。
【００１９】
溶媒系
本明細書で使用する溶媒は、以下で論じるようなハンセンパラメータ（δｐ−極性、δｄ−分散、δＨ−水素結合）を有する。更にまた、溶媒の選択は、選択の可能性を狭めることが多い、揮発性、安全性、及び臭気などの溶媒に対する制限を反映させるべきである。溶媒は、標準気圧及び室温（２５℃）で蒸発するような、揮発性であることができない。溶媒は、溶媒と接触する人の健康に対して安全上の問題をもたらすことはできない。最後に、有効であっても、一部の溶媒は、ユーザーに対して好ましくない匂いを有する。このような溶媒もまた、避けるべきである。
【００２０】
ハンセンパラメータは、単一の溶媒、又は溶媒の混合物から算出することができる。任意の単一の溶媒は、δｄ（分散）が約１５〜１８、δｐ（極性）が０〜約１０、δＨ（水素結合）が０〜約１２のハンセンパラメータを有することができる。
【００２１】
溶媒の混合物を用いる場合、そのモル分率により、δｄ（分散）が約１５〜１８、δｐ（極性）が約２〜約８、δＨ（水素結合）が約５〜約１２のハンセンパラメータを生じなければならない。
【００２２】
使用できる溶媒は、デカン二酸ジメチルエステル（ｄ＝１６．６、ｐ＝２．９、Ｈ＝６．７）；ジイソプロピルアジペート（推定、ｄ＝１６．９、ｐ＝２．５、Ｈ＝６．３）；ジイソブチルアジペート（ｄ＝１６．７、ｐ＝２．５、Ｈ＝６．３）；
【００２３】
【化２】
0005774987.tif 000003
［式中、ｎが３〜５であるペルメチル］を含むペルメチル及び
（１）ジプロピレングリコールメチルエーテル、（２）プロピレングリコールモノプロピルエーテル、又は（３）１−フェノキシ−２−プロパノールのうちの１つ以上の組み合わせ、から選択することができる。
【００２４】
１つの実施形態では、溶媒系は、ｎが３〜５であるペルメチル及び１−フェノキシ−２−プロパノールの組み合わせを１：３〜３：１の比で含む。
【００２５】
１つの実施形態では、マイクロエマルション又はプロトマイクロエマルション（protomicroemulsioin）組成物は、約３重量％〜約６重量％のｎが３〜５であるペルメチル及び約３重量％〜約６重量％の１−フェノキシ−２−プロパノールを含み、ペルメチル及び１−フェノキシ−２−プロパノールの合計重量パーセントは、組成物重量の約９重量％である。
【００２６】
任意の低水溶性化合物
任意の低水溶性化合物は、典型的には組成物の約０．１重量％〜約５０重量％、好ましくは約０．３重量％〜約４０重量％、より好ましくは約０．４重量％〜約３５重量％、更により好ましくは約０．５重量％〜約１０重量％のレベルで存在する。本明細書における低水溶性化合物は、溶液の約５重量％〜約０．１重量％（５０，０００ｐｐｍ〜１０００ｐｐｍ）の水への溶解度を有する。
【００２７】
低水溶性化合物は、前述の溶解度を有する、カルビトール、Ｃ2〜6アルキルグリコールエーテル、アリールＣ2〜6アルキルグリコールエーテル、及びこれらの組み合わせからなる群から選択される。Ｃ2〜6アルキルグリコールエーテルから選択される低水溶性化合物としては、エチレングリコールモノブチルエーテル（ブチルセロソルブ）；ジエチレングリコールモノブチルエーテル（ブチルカルビトール）；トリエチレングリコールモノブチルエーテル；モノ−、ジ−、トリプロピレングリコールモノブチルエーテル；テトラエチレングリコールモノブチルエーテル、モノ−、ジ−、トリプロピレングリコールモノメチルエーテル；プロピレングリコールモノメチルエーテル；エチレングリコールモノヘキシルエーテル；ジエチレングリコールモノヘキシルエーテル；プロピレングリコール三級ブチルエーテル；エチレングリコールモノエチルエーテル；エチレングリコールモノメチルエーテル；エチレングリコールモノプロピルエーテル；エチレングリコールモノペンチルエーテル；ジエチレングリコールモノメチルエーテル；ジエチレングリコールモノエチルエーテル；ジエチレングリコールモノプロピルエーテル；ジエチレングリコールモノペンチルエーテル；トリエチレングリコールモノメチルエーテル；トリエチレングリコールモノエチルエーテル（triethylene glycol monethyl ether）；トリエチレングリコールモノプロピルエーテル；トリエチレングリコールモノペンチルエーテル；トリエチレングリコールモノヘキシルエーテル；モノ−、ジ−、トリプロピレングリコールモノエチルエーテル；モノ−、ジ−、トリプロピレングリコールモノプロピルエーテル；モノ−、ジ−、トリプロピレングリコールモノペンチルエーテル；モノ−、ジ−、トリプロピレングリコールモノヘキシルエーテル；モノ−、ジ−、トリブチレングリコールモノメチルエーテル；モノ−、ジ−、トリブチレングリコールモノエチルエーテル；モノ−、ジ−、トリブチレングリコールモノプロピルエーテル；モノ−、ジ−、トリブチレングリコールモノブチルエーテル；モノ−、ジ−、トリブチレングリコールモノペンチルエーテル、及び、モノ−、ジ−、トリブチレングリコールモノヘキシルエーテルが挙げられる。好ましいグリコールエーテルマイクロエマルション形成界面活性剤としては、ジエチレングリコールモノブチルエーテル（ブチルカルビトール）及びジプロピレングリコールモノメチルエーテル（ＤＯＷＡＮＯＬ（登録商標）ＤＰＭ）が挙げられる。
【００２８】
任意の低水溶性化合物は従来の油であってよく、又はマイクロエマルション形成溶媒であってよい。好ましい油は、ａ）６〜１５個の炭素原子を有する環状炭化水素か、ｂ）炭素２〜６個のアルコールのエーテルで、分子の合計炭素数がＣ6〜10であるもの、又は、Ｃ）炭素２〜６個の脂肪酸の炭素２〜６個のアルコールを伴うモノエステルで、分子の合計炭素数がＣ6〜10であるもの、のいずれかである。更に含まれるのは香料又は精油であり、任意の非水溶性芳香性物質、又は天然発香性物質（すなわち、草花、香草、果樹の花、又は植物の抽出により得られる）、人工発香性物質（すなわち、天然油又は油成分の混合物）、及び合成発香性物質（すなわち、単一又は混合の合成的に製造された物質）を含む物質の混合物を指し、これらのものが挙げられる。典型的には、香料は、アルコール、アルデヒド、エーテル、芳香族化合物などの種々の有機化合物、及び、例えば約０重量％〜約８０重量％、通常は約１０重量％〜７０重量％の様々な量の精油（例えばテルペン）のブレンドの複雑な混合物であり、精油自体は揮発性発香性化合物であり、香料の他の構成成分を溶解する働きもしている。
【００２９】
任意の水溶性化合物
任意の水溶性化合物は、本明細書の組成物に、一般には約２％〜約１０％の範囲で存在する。より好ましくは、任意の水溶性化合物は、本明細書の組成物の約３％〜７％含まれる。
【００３０】
本明細書で有用な任意の水溶性化合物は、典型的には、アルコール、グリセリン、グリコール、及びこれらの混合物からなる群から、更により好ましくは、エタノール、プロピレンカーボネート、プロピレングリコール、グリセリン、及びこれらの混合物からなる群から選択される。本明細書の任意の水溶性化合物は、好ましくは、溶液の少なくとも約１２重量％、より好ましくは少なくとも約５０重量％の水に対する溶解度を有する。
【００３１】
グリセロールは、水溶性化合物として存在するとき、界面活性剤系に対して約１：１〜約１：３５の比で、好ましくは約１：２〜約１：２０、より好ましくは約１：３〜約１：１５、更により好ましくは約１：３〜約１：１０の比で存在する。
【００３２】
本明細書に記載する溶媒系を含有する洗浄組成物は、陰イオン性、非イオン性、及び両性から選択される１種以上の界面活性剤を更に含んでもよい。界面活性剤系は、カチオン電荷を有する崩壊性界面活性剤を更に含んでもよい。
【００３３】
陰イオン性界面活性剤
Ｃ10〜14アルキル又はヒドロキシアルキルのスルフェート又はスルホネート
Ｃ10〜14アルキル若しくはヒドロキシアルキルスルフェート又はスルホネート界面活性剤は、液体洗剤組成物の少なくとも１０重量％、より好ましくは２０重量％〜４０重量％、最も好ましくは２０重量％〜３０重量％のレベルで存在する。
【００３４】
本明細書の組成物で使用するのに好適なＣ10〜14アルキル若しくはヒドロキシアルキルスルフェート又はスルホネート界面活性剤は、Ｃ10〜Ｃ14アルキル若しくはヒドロキシアルキルスルフェート又はヒドロキシアルキルスルホネートの水溶性塩又は水溶性酸が挙げられる。好適な対イオンとしては、水素、アルカリ金属カチオン又はアンモニウム又は置換アンモニウムが挙げられるが、好ましくはナトリウムである。
【００３５】
アルキル若しくはヒドロキシアルキルスルフェート界面活性剤又はヒドロキシアルキルスルホネート界面活性剤は、Ｃ11〜Ｃ18アルキルベンゼンスルホネート（ＬＡＳ）、Ｃ10〜Ｃ20第一級ランダムアルキルスルフェート（ＡＳ）、Ｃ10〜Ｃ18第二級（２，３）アルキルスルフェート、Ｃ10〜Ｃ18アルキルアルコキシスルフェート（ＡＥxＳ）［式中、好ましくはｘは１〜３０］、好ましくは１〜５個のエトキシ単位を含むＣ10〜Ｃ18アルキルアルコキシカルボキシレート、メチルエステルスルホネート（ＭＥＳ）、及びα−オレフィンスルホネート（ＡＯＳ）から選択されてよい。
【００３６】
非イオン性界面活性剤
任意に応じて、非イオン性界面活性剤は、組成物に含有させる場合、より好ましくは液体洗剤組成物の０．１重量％〜２０重量％、更により好ましくは０．１重量％〜１５重量％、更によりいっそう好ましくは０．５重量％〜１０重量％の有効量に含有させる。
【００３７】
好適な非イオン性界面活性剤としては、脂肪族アルコールと１〜２５モルのエチレンオキシドとの縮合生成物が挙げられる。脂肪族アルコールのアルキル鎖は、線状又は分岐鎖状の、一級又は二級でよく、一般的に炭素数が８〜２２である。特に好ましいものは、１０〜２０の炭素を含むアルキル基を有するアルコールとアルコール１モルあたり２〜１８モルのエチレンオキシドとの縮合生成物である。式Ｒ2Ｏ（ＣnＨ2nＯ）t（グリコシル）x（式（Ｉ））を有するアルキルポリグリコシドも好適であり、式中、式（Ｉ）のＲ2は、アルキル、アルキルフェニル、ヒドロキシアルキル、ヒドロキシアルキルフェニル、及びこれらの混合物からなる群から選択され、このアルキル基は、１０〜１８個、好ましくは１２〜１４個の炭素原子を含有し、式（Ｉ）のｎは２又は３、好ましくは２であり、式（Ｉ）のｔは０〜１０、好ましくは０であり、式（Ｉ）のｘは１．３〜１０、好ましくは１．３〜３、最も好ましくは１．３〜２．７である。グリコシルは、好ましくはグルコースから誘導される。それらの化合物を調製するには、初めにアルコール又はアルキルポリエトキシ（polyethoy）アルコールを形成し、次いでグルコース又はグルコース源と反応させて、グルコシドを形成する（１位で結合）。これで、追加のグリコシル単位が、それらの１位と先行のグリコシル単位の２、３、４及び／又は６位、好ましくは主に２位との間で結合できる。
【００３８】
また好適なものは、式（ＩＩ）を有する脂肪酸アミド界面活性剤であり、
【００３９】
【化３】
0005774987.tif 000004
式中、式（ＩＩ）のＲ6は、７〜２１個、好ましくは９〜１７個の炭素原子を含有するアルキル基であり、式（ＩＩ）のＲ7はそれぞれ、水素、Ｃ1〜Ｃ4アルキル、Ｃ1〜Ｃ4ヒドロキシアルキル、及び−（Ｃ2Ｈ4Ｏ）xＨからなる群から選択され、式（ＩＩ）のｘは、１〜３まで幅がある。好ましいアミドは、Ｃ8〜Ｃ20アンモニアアミド、モノエタノールアミド、ジエタノールアミド、及びイソプロパノールアミドである。
【００４０】
両性界面活性剤
両性界面活性剤には、１つの直鎖Ｃ8〜18アルキル部分及び、Ｃ1〜3アルキル基及びＣ1〜3ヒドロキシアルキル基からなる群から選択される２つの部分を含有するアミンオキシド、１つの直鎖Ｃ10〜18アルキル部分、Ｃ1〜3アルキル基及びＣ1〜3ヒドロキシアルキル基からなる群から選択される２つの部分を含有する水溶性ホスフィンオキシド、並びに、１つの直鎖Ｃ10〜18アルキル部分、及びＣ1〜3アルキル部分及びＣ1〜3ヒドロキシアルキル部分からなる群から選択される１つの部分を含有する水溶性スルホキシドを挙げることができる。
【００４１】
好ましいアミンオキシド界面活性剤は、式（ＩＩＩ）を有し、
【００４２】
【化４】
0005774987.tif 000005
式中、式（ＩＩＩ）のＲ3は、直鎖Ｃ8〜22アルキル、直鎖Ｃ8〜22ヒドロキシアルキル、Ｃ8〜22アルキルフェニル基、及びこれらの混合物であり、式（ＩＩＩ）のＲ4は、Ｃ2〜3アルキレン若しくはＣ2〜3ヒドロキシアルキレン基又はこれらの混合物であり、ｘは０〜約３であり、式（ＩＩＩ）のＲ5はそれぞれ、Ｃ1〜3アルキル若しくはＣ1〜3ヒドロキシアルキル基、又は平均で約１〜約３個のエチレンオキシド基を含有するポリエチレンオキシド基である。式（ＩＩＩ）のＲ5基は、例えば酸素又は窒素原子を介して互いに結合して、環状構造を形成してもよい。
【００４３】
これらのアミンオキシド界面活性剤としては、特に、Ｃ10〜Ｃ18アルキルジメチルアミンオキシド、及びＣ8〜Ｃ12アルコキシエチルジヒドロキシエチルアミンオキシドが挙げられる。好ましいアミンオキシドとしては、Ｃ10、Ｃ10〜Ｃ12、及びＣ12〜Ｃ14アルキルジメチルアミンオキシドが挙げられる。
【００４４】
存在する場合、少なくとも１つのアミンオキシドは、組成物の約０．１重量％〜約１５重量％、より好ましくは少なくとも約０．２重量％〜約１２重量％で液体洗剤組成物に存在する。ある実施形態においては、液体洗剤組成物にはアミンオキシドが組成物の約５重量％〜約１２重量％含まれている。別の実施形態においては、液体洗剤組成物にアミンオキシドが組成物の約３重量％〜約８重量％含まれている。
【００４５】
本発明において任意であるその他の好適な両性洗剤界面活性剤の非限定例としては、アミドプロピルベタイン及び脂肪族又は複素環式二級及び三級（ternary）アミンの誘導体が挙げられ、脂肪族部分は直鎖又は分岐鎖であることができ、脂肪族置換基の１つは、８〜２４個の炭素を含有し、少なくとも１つの脂肪族置換基にはアニオン性水溶性基が含まれている。
【００４６】
典型的には、両性界面活性剤は、存在する場合、前記液体洗剤組成物の約０．０１重量％〜約２０重量％、好ましくは約０．５重量％〜約１０重量％含ませる。
【００４７】
崩壊性界面活性剤
崩壊性補助界面活性剤の目的は、１種以上の界面活性剤のミセル構造に関与可能な崩壊構造を提供することである。崩壊性界面活性剤に選択された構造は、充填構造を緩め、１種以上の界面活性剤の運動を増加させると考えられている。この増加した運動は、硬質表面からの油脂洗浄速度の増加に対応すると考えられている。崩壊性補助界面活性剤は、疎水性末端基及び疎水性頭部基を有し、崩壊性界面活性剤は、かかる１種以上の界面活性剤とは異なる。
【００４８】
１つの実施形態における崩壊性界面活性剤は、頭部基のカチオン電荷及び２つの疎水性末端を含むものとして選択される。別の実施形態では、崩壊性界面活性剤は頭部基のカチオン電荷及び２つの疎水性末端を含むものとして選択され、その際、少なくとも１つの疎水性末端は分枝状である。
【００４９】
１つの実施形態における崩壊性界面活性剤は、下式、
【００５０】
【化５】
0005774987.tif 000006
［式中、式（ＩＶ）のＲ1及びＲ2は、Ｃ1〜Ｃ4直鎖アルキル部分からなる群から独立して選択され、式（ＩＶ）のＸは水溶性アニオンであり、（１）式（ＩＶ）のＲ3及びＲ4は、それぞれＣ6〜Ｃ14アルキル部分である］を含むものとして選択される。本発明において好ましい非対称性第四級化合物は、式（ＩＶ）のＲ3及びＲ4が同一ではなく、好ましくは一方が分枝状で、もう一方が直鎖状の化合物である。
【００５１】
対称性第四級化合物の実施形態は、式（ＩＶ）のＸが炭酸塩及び重炭酸塩であり、式（ＩＶ）のＲ1及びＲ2がメチル基であり、式（ＩＶ）のＲ3及びＲ4がＣ10アルキル基である、ＵＮＩＱＵＡＴ  ２２５０である。ＵＮＩＱＵＡＴ  ２２５０は、北アメリカのＬｏｎｚａの登録商標であり、ニュージャージー州ＡｌｌｅｎｄａｌｅのＬｏｎｚａ  Ｉｎｃｏｒｐｏｒａｔｅｄから入手できる。
【００５２】
非対称性第四級化合物の実施形態は、Ｘがメチルサルフェートイオンであり、式（ＩＶ）のＲ1及びＲ2がメチル基であり、式（ＩＶ）のＲ3が、モノ不飽和が＜５％の水素添加タロー基であり、式（ＩＶ）のＲ4が２−エチルヘキシル基である、ＡＲＱＵＡＤ  ＨＴＬ８−ＭＳである。ＡＲＱＵＡＤ  ＨＴＬ８−ＭＳは、オランダのＡｒｎｈｅｍのＡｋｚｏ  Ｎｏｂｅｌ  Ｃｈｅｍｉｃａｌから入手できる。
【００５３】
１つの実施形態における崩壊性界面活性剤は、下式、
【００５４】
【化６】
0005774987.tif 000007
［式中、式（Ｖ）のＲ5は、Ｃ12〜Ｃ18直鎖アルキル部分から選択され、式（Ｖ）のＲ6は、Ｃ1〜Ｃ4直鎖アルキル部分から選択される］を含むもとのして選択される。
【００５５】
この構造の好適な実施形態は、Ｌｏｎｚａから入手できるＢＡＲＱＵＡＴ  ＣＭＥ−３５であり、以下の構造を有する。
【００５６】
【化７】
0005774987.tif 000008
【００５７】
試験方法
本明細書で油可溶化は、吸収速度、並びに可溶化能の両方が測定される。可溶化能を測定するために、試験される製品１０．０ｇ（特定の希釈率にて行われる場合、この量は水を含む）を、２５ｍＬのシンチレーションバイアル瓶に入れる。例えば、８５％濃度の溶液の試験では、８．５０ｇの製品と１．５０ｇの水を含む。これに、０．０４５％のＰｙｌａｋｒｏｍｅ  ＲＥＤ−ＬＸ１９０３（米国アリゾナ州ＴｅｍｐｅのＰｙｌａｍ  Ｐｒｏｄｕｃｔｓから入手可能なＳＯＬＶＥＮＴ  ＲＥＤ  ２４（ＣＡＳ＃  ８５−８３−６）及びＳＯＬＶＥＮＴ  ＲＥＤ  ２６（ＣＡＳ＃  ４４７７−７９−６）の混合物）で着色された食品グレードの植物油０．１ｇを加え、バイアル瓶のふたをする。試験は室温（２０℃）で実施する。ボルテックス機、例えば＃８に設定したＶｏｒｔｅｘ  Ｇｅｎｉｅ  ２を用い、バイアル瓶を３０秒間撹拌する。次に、そのサンプルをＳｏｎｉｃａｔｏｒ  Ｂｒａｎｓｏｎ  ２２１０で１０秒間、又は、（泡立てるというよりも）液体が少なくとも３ｍｍ（１／８インチ）になるまで、超音波処理する必要がある。次いで、サンプルを透明になるまで放置し、その時間（秒）を記録する。本明細書で用いるとき、「透明」とは、Ｔｉｍｅｓ  Ｎｅｗ  Ｒｏｍａｎの１ｍｍ（１／１６インチ）（６ｐｔ）〜３ｍｍ（１／８インチ）（１０ｐｔ）の大きさの文字列がサンプル溶液を通して読めるとき、そのサンプルは「透明」であることを意味する。
【００５８】
バイアル瓶が透明になった場合、２４０秒以内に透明に戻らなくなるまで、油を更に０．１ｇずつ追加する。この油の溶解％を、１０．０ｇの製品により可溶化できた（すなわち、バイアル瓶が透明である）油の最大量として記録する。
【００５９】
吸収速度を測定するために、１０．０ｇの製品を用いる代わりに、０．１ｇ（すなわち１％）の着色植物油を可溶化するのに必要な時間（静止時に測定するとき）を記録して、上記試験を実施する。好ましくは、本明細書における発明では、７５％製品濃度で試験するとき、２％の着色キャノーラ油を約１５分以内に、より好ましくは約５分以内に、更により好ましくは約６０秒以内に可溶化する。
【００６０】
フォーム特性：フォーム寿命
エアスプレイ・インターナショナル（Airspray International, Inc.）からのＷＲ−Ｆ３シリーズ泡発生器などのフォーム生成ディスペンサが取り付けられている容器に、製品を充填する。製品は、４１３ｋＰａ（６０ｐｓｉ）の定圧、並びに０．５秒の定速で、フォーム生成ディスペンサを介して容器から分配される。
【００６１】
得られたフォームの設置面積を測定し、おおよその体積は得られたフォームの高さを測定することで測定する。２分間待った後、測定を繰り返す。フォームの体積変化は、元の体積の５０％未満、好ましくは４０％未満でなければならない。
【００６２】
【表１】
0005774987.tif 000009
【００６３】
上記表１は、合計炭素数が２０（上記式中、ｎが４）の１−フェノキシ−２−プロパノール及びペルメチルの組み合わせにおいて、溶液濃度が１００％、及び８５％のときの油可溶化（ＧＡＴ）、並びにこの組み合わせが予想外の相乗効果をいかに実証するかについて示す。
【００６４】
以下の表２は、いくつかの例示された洗浄組成物の実施形態を示す。
【００６５】
【表２】
0005774987.tif 000010
1崩壊性界面活性剤は、上記で詳述したもののうち任意のものであってよい。
2ペルメチルは、上記で詳述された任意のものから選択してよい。
【００６６】
処方Ａは、組成物に必要な溶媒系を含まない比較処方である。
【００６７】
使用方法
本明細書の組成物は、洗浄組成物として、より好ましくは食器洗浄組成物として、及び更により好ましくは手洗い用食器洗浄組成物として使用するのに特に好適である。本明細書の発明は、プロトマイクロエマルションが基材、例えば、スポンジ、ワイプ基材、スクラブ基材、不織材（nonwovern material）などに直接適用される状況で特に有用である。通常は、次いで基材に水を加え、プロトマイクロエマルションを希釈し、その場で、マイクロエマルションは、例えばシンクや洗面器内でも形成することができるが、好ましくは基材自体の中又は上でマイクロエマルションを形成する。次に、マイクロエマルションを、直接的又は間接的に洗浄される表面、例えば食器、グラス、カトラリーなどに適用し、好ましくは約２秒〜約１時間浸す。その表面をすすぎ、ゴミ、汚れ、及びマイクロエマルションを取り除き、次いで好ましくは乾燥させる。このような方法は、食器、グラス、及びカトラリーを効果的に洗浄するだけではなく、調理台、タイル、浴室、堅木の床、及びその他硬質表面も洗浄することができる。
【００６８】
本明細書のプロトマイクロエマルションの物理的形状は、典型的には、液体、ゲル、ペースト、又は更に固体であり、それ自体が水性であっても非水性であってもよい。プロトマイクロエマルションを水で希釈し、所望のマイクロエマルションを形成できる限りにおいては、他の形状も本明細書で有用である。更に、本明細書のプロトマイクロエマルションは、個別の製品として、あるいは、アプリケータ、例えば、小出し容器、洗浄用具、及び／又は、ワイプ若しくはスクラブ基材と共に、提供されてよい。好ましい小出し容器は当該技術分野において既知であり、典型的には、外観的に望ましい、及び／又は人間工学的な形状、小出し口、トリガー噴霧器、又はスプレーノズルとを有する手持ち式のボトルを含む。
【００６９】
本明細書で有用な好ましいフォーム生成ディスペンサとしては、米国特許出願公開第２００４／０２５４２５３  Ａ１号に記載される、フォーム生成ディスペンサが、重量に対して泡が約２ｍＬ／ｇを超えるフォームを生成するものが挙げられ、オランダのＨｅｌｍｏｎｄのＡｆａ−ＰｏｌｙｔｅｋからのＴ８９００、ＯｐＡｄ  ＦＯ、８２０３、及び７５１２シリーズ泡発生器、オランダのＡｌｋｍａａｒ、又は米国フロリダ州Ｎｏｒｔｈ  Ｐｏｍｐａｎｏ  ＢｅａｃｈのＡｉｒｓｐｒａｙ  Ｉｎｔｅｒｎａｔｉｏｎａｌ，Ｉｎｃ．からのＴ１、Ｆ２、及びＷＲ−Ｆ３シリーズ泡発生器、米国カリフォルニア州Ｃｉｔｙ  ｏｆ  ＩｎｄｕｓｔｒｙのＳａｉｎｔ−Ｇｏｂａｉｎ  Ｃａｌｍａｒ，Ｉｎｃ．からのＴＳ−８００及びＭｉｘｏｒシリーズ泡発生器、日本の東京のＤａｉｗａ  Ｃａｎ  Ｃｏｍｐａｎｙのポンプ式泡発生器及びスクイズ式泡発生器、米国ニュージャージー州ＨｉｌｌｓｂｏｒｏｕｇｈのＧｕａｌａ  Ｄｉｓｐｅｎｓｉｎｇ  ＵＳＡ，Ｉｎｃ．からのＴＳ１及びＴＳ２シリーズ泡発生器、並びに、日本の東京のＹｏｓｈｉｎｏ  Ｋｏｇｙｏｓｈｏ  Ｃｏ．，Ｌｔｄ．からのＹＴ−８７Ｌ−ＦＰ、ＹＴ−８７Ｌ−ＦＸ、及びＹＴ−９７シリーズ泡発生器が挙げられる。日本語の出版物である、Ｆｏｏｄ  ＆  Ｐａｃｋａｇｅ，（２００１）ｖｏｌ．４２，ｎｏ．１０，ｐｐ  ６０９〜１３；Ｆｏｏｄ  ＆  Ｐａｃｋａｇｅ，（２００１）ｖｏｌ．４２，ｎｏ．１１，ｐｐ  ６７６〜７９；及びＦｏｏｄ  ＆  Ｐａｃｋａｇｅ，（２００１）ｖｏｌ．４２，ｎｏ．１２，ｐｐ  ７３２〜３５にて議論されているフォーム生成ディスペンサもまた参照のこと。特に、空気ピストン（製品ピストン体積比、メッシュ／ネット寸法、吹き付け角度など）の修正、並びに、シリンダー、ロッド、ディップチューブ、ノズルなどのサイズ及び寸法の最適化による既存のフォーム生成ディスペンサの変形及び修正は、本明細書で特に有用である。
【００７０】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００７１】
本明細書で引用される、相互参照付きの、又は関連する、特許及び出願を含むいずれの文献も、明白に排除されない限り、また別の方法で制限されない限り、本明細書にその全体が参照によって組み入れられる。いずれの文献の引用も、こうした文献が本明細書中で開示又は特許請求の範囲に記載されるいずれかの発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更に、本文書における用語のいずれかの意味又は定義が、援用文献における同一の用語のいずれかの意味又は定義と相反する限りにおいては、本文書においてその用語に与えられた意味又は定義を優先するものとする。
【００７２】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の書類名特許請求の範囲で扱うものとする。